(57)【要約】【課題】タイムゾーンの柔軟な設定を可能にすること。【解決手段】電子時計１００は、位置とタイムゾーンとの対応情報及び自装置の位置に基づくタイムゾーンを設定し、又はユーザ操作に基づくタイムゾーンを設定する。また、電子時計１００は、ユーザ操作により選択可能なタイムゾーンの数が、対応情報及び自装置の位置に基づいて設定可能なタイムゾーンの数より多い。そして、電子時計１００は、設定したタイムゾーンに基づく時刻をユーザに通知する。【選択図】図２
2019045253.tif 000002
【特許請求の範囲】
【請求項１】
位置とタイムゾーンとの対応情報及び自装置の位置に基づくタイムゾーンを設定し、又はユーザ操作に基づくタイムゾーンを設定する設定部と、
前記設定部により設定されたタイムゾーンに基づく時刻をユーザに通知する通知部と、を備え、
前記ユーザ操作に基づいて設定可能なタイムゾーンの数が、前記対応情報及び自装置の位置に基づいて設定可能なタイムゾーンの数より多いことを特徴とする電子時計。
【請求項２】
前記ユーザ操作に基づいて設定可能なタイムゾーンは、前記対応情報及び自装置の位置に基づいて設定可能なタイムゾーンと、前記対応情報及び自装置の位置に基づいて設定可能なタイムゾーンと異なるタイムゾーンと、を含むことを特徴とする請求項１に記載の電子時計。
【請求項３】
前記対応情報及び自装置の位置に基づいて設定可能なタイムゾーンと異なるタイムゾーンは、過去に前記対応情報及び自装置の位置に基づいて設定可能なタイムゾーンであり、現在は前記対応情報及び自装置の位置に基づいて設定可能なタイムゾーンではないことを特徴とする請求項２に記載の電子時計。
【請求項４】
前記ユーザ操作に基づいて設定可能なタイムゾーンをそれぞれ示す表記部を備えることを特徴とする請求項２又は３に記載の電子時計。
【請求項５】
前記設定部は、設定済みのタイムゾーンが前記ユーザ操作に基づくタイムゾーンでない場合に前記対応情報及び自装置の位置に基づくタイムゾーンを設定し、設定済みのタイムゾーンが前記ユーザ操作に基づくタイムゾーンである場合は前記対応情報及び自装置の位置に基づくタイムゾーンを設定しないことを特徴とする請求項１〜４のいずれか一つに記載の電子時計。
【請求項６】
前記設定部は、設定済みのタイムゾーンが前記ユーザ操作に基づくタイムゾーンであっても、ユーザからの操作により前記対応情報及び自装置の位置に基づくタイムゾーンの設定を指示された場合は前記対応情報及び自装置の位置に基づくタイムゾーンを設定することを特徴とする請求項５に記載の電子時計。
【請求項７】
前記設定部は、設定済みのタイムゾーンが前記ユーザ操作に基づくタイムゾーンであり、ユーザからの操作により前記対応情報及び自装置の位置に基づくタイムゾーンの設定を指示されていなくても、設定済みのタイムゾーンと、前記対応情報及び自装置の位置に基づくタイムゾーンと、の間の時差が所定値以上である場合は前記対応情報及び自装置の位置に基づくタイムゾーンを設定することを特徴とする請求項６に記載の電子時計。
【請求項８】
前記設定部は、前記ユーザ操作に基づくタイムゾーンを設定する場合に、ユーザによる第１操作に応じて前記ユーザ操作に基づいて設定可能なタイムゾーンをユーザに順次通知する第１状態と、ユーザによる第２操作に応じて前記ユーザ操作に基づいて設定可能なタイムゾーンのうちの一部のタイムゾーンを除くタイムゾーンをユーザに順次通知する第２状態と、を切り替え可能であり、前記第１状態又は前記第２状態においてユーザによる前記第１操作及び前記第２操作と異なる第３操作を受け付けた際に通知していたタイムゾーンを設定することを特徴とする請求項１〜７のいずれか一つに記載の電子時計。
【請求項９】
前記一部のタイムゾーンは、前記ユーザ操作に基づいて設定可能なタイムゾーンのうちの、前記対応情報及び自装置の位置に基づいて設定可能なタイムゾーンに含まれないタイムゾーンであることを特徴とする請求項８に記載の電子時計。
【請求項１０】
前記一部のタイムゾーンは、前記ユーザ操作に基づいて設定可能なタイムゾーンのうちの、前記対応情報及び自装置の位置に基づいて設定可能なタイムゾーンであることを特徴とする請求項８に記載の電子時計。
【請求項１１】
前記設定部は、ユーザによる操作に基づいて前記一部のタイムゾーンを変更可能であることを特徴とする請求項８〜１０のいずれか一つに記載の電子時計。
【請求項１２】
前記通知部は、前記ユーザ操作に基づいて設定可能なタイムゾーンのそれぞれについて、前記対応情報及び自装置の位置に基づいて設定可能であるか否かをユーザに通知することを特徴とする請求項１〜１１のいずれか一つに記載の電子時計。
【発明の詳細な説明】
【技術分野】
【０００１】
本発明は、タイムゾーンに基づく時刻を通知する電子時計に関する。
【背景技術】
【０００２】
従来、衛星信号から算出された現在地の位置情報に基づいて現在地のタイムゾーンが自動設定される機能と、任意のタイムゾーンが手動設定される機能と、を備える電子時計が知られている（例えば、下記特許文献１参照。）。
【先行技術文献】
【特許文献】
【０００３】
【特許文献１】特開２０１５−１６９５００号公報
【発明の概要】
【発明が解決しようとする課題】
【０００４】
しかしながら、上述した従来技術では、例えば、手動で設定可能なタイムゾーンの選択肢は、電子時計の現在位置に基づいて自動で設定され得るタイムゾーンに限られており、タイムゾーンの柔軟な設定を行うことができないという問題がある。
【０００５】
例えば、電子時計内の地図データにおいて、あるタイムゾーンがいずれの地域にも対応付けられていない場合は、電子時計の現在位置に基づいてそのタイムゾーンが自動的に設定されることはないが、ユーザによってはそのタイムゾーンを使用したい場合がある。一例としては、過去に採用していた地域が存在していたが、その地域のタイムゾーンが変更され、採用する地域が存在しなくなったタイムゾーンがある場合に、その地域のユーザは、その地域の以前のタイムゾーンを使用したい場合がある。しかしながら、従来の電子時計では、地図データにおいていずれの地域にも対応付けられていないタイムゾーンを設定することができないという問題がある。
【０００６】
本発明は、上述した従来技術による問題点を解消するため、タイムゾーンの柔軟な設定を可能にすることができる電子時計を提供することを目的とする。
【課題を解決するための手段】
【０００７】
上述した課題を解決し、目的を達成するため、本発明にかかる電子時計は、位置とタイムゾーンとの対応情報及び自装置の位置に基づくタイムゾーンを設定し、又はユーザ操作に基づくタイムゾーンを設定し、前記ユーザ操作に基づいて設定可能なタイムゾーンの数が、前記対応情報及び自装置の位置に基づいて設定可能なタイムゾーンの数より多い設定部と、前記設定部により設定されたタイムゾーンに基づく時刻をユーザに通知する通知部と、を備える。
【０００８】
これにより、電子時計の位置に応じて自動的に設定され得るタイムゾーンとは異なるタイムゾーンであってもユーザ操作によって設定することが可能になる。
【発明の効果】
【０００９】
本発明の一側面によれば、タイムゾーンの柔軟な設定を可能にすることができるという効果を奏する。
【図面の簡単な説明】
【００１０】
【図１】図１は、実施の形態１にかかる電子時計の外観の一例を示す図である。
【図２】図２は、実施の形態１にかかる電子時計における各タイムゾーンの種別の一例を示す図である。
【図３】図３は、実施の形態１にかかる電子時計のハードウェア構成の一例を示す図である。
【図４】図４は、実施の形態１にかかる電子時計が有する地図データの一例を示す図である。
【図５】図５は、実施の形態１にかかる電子時計の衛星電波の受信によるタイムゾーン設定処理の一例を示すフローチャートである。
【図６】図６は、実施の形態２にかかる電子時計のスキップ有りのタイムゾーン設定モードの動作の一例を示す図である。
【図７】図７は、実施の形態２にかかる電子時計のスキップ無しのタイムゾーン設定モードの動作の一例を示す図である。
【図８】図８は、実施の形態２にかかる電子時計のスキップ設定修正モードの動作の一例を示す図である。
【図９】図９は、実施の形態２にかかる電子時計による設定処理の一例を示すフローチャート（その１）である。
【図１０】図１０は、実施の形態２にかかる電子時計による設定処理の一例を示すフローチャート（その２）である。
【図１１】図１１は、実施の形態２にかかる電子時計による設定処理の一例を示すフローチャート（その３）である。
【図１２】図１２は、実施の形態２にかかる電子時計のモード遷移の一例を示す図である。
【図１３】図１３は、実施の形態３にかかる電子時計の一例を示す図である。
【図１４】図１４は、実施の形態４にかかる電子時計の一例の一部を示す図である。
【図１５】図１５は、実施の形態５にかかる電子時計の一例の一部を示す図（その１）である。
【図１６】図１６は、実施の形態５にかかる電子時計の一例の一部を示す図（その２）である。
【図１７】図１７は、実施の形態５にかかる電子時計の他の一例の一部を示す図（その１）である。
【図１８】図１８は、実施の形態５にかかる電子時計の他の一例の一部を示す図（その２）である。
【発明を実施するための形態】
【００１１】
以下に図面を参照して、本発明にかかる電子時計の実施の形態を詳細に説明する。
【００１２】
（実施の形態１）
（実施の形態１にかかる電子時計の外観）
図１は、実施の形態１にかかる電子時計の外観の一例を示す図である。図１に示すように、実施の形態１にかかる電子時計１００は、外装（時計ケース）である胴内に配置された、文字板１１０と、時刻を示す指針である時針１２１、分針１２２及び秒針１２３と、小窓１６０と、を備える。電子時計１００の外装はベゼルと胴の二体物から構成されてもよい。
【００１３】
時針１２１、分針１２２及び秒針１２３は、文字板１１０に対する相対的な位置によって時刻を表示する指針である。また、秒針１２３は、時刻とは異なる情報の表示にも用いられてもよい。小窓１６０は、指針１６１を有し、指針１６１によって時刻とは異なる情報を表示する。
【００１４】
また、電子時計１００は、胴の側面に、電子時計１００のユーザが種々の操作を行うための操作部１３０として、リューズ１３１（竜頭）、第１プッシュボタン１３２及び第２プッシュボタン１３３が配置されている。図１に示す例では、リューズ１３１は３時側に配置され、第１プッシュボタン１３２は２時側に配置され、第２プッシュボタン１３３は４時側に配置されている。
【００１５】
電子時計１００には、文字板１１０を覆うようにガラス等の透明材料により形成された風防が胴に取り付けられている。また、電子時計１００における風防の反対側には胴に裏蓋が取り付けられている。以降、電子時計１００において風防が配置される方向（図１における紙面手前方向）を表側、電子時計１００において裏蓋が配置される方向（図１における紙面奥方向）を裏側と呼ぶ。
【００１６】
また、電子時計１００は、太陽などの光エネルギーを動力源とする太陽電池時計である。例えば、文字板１１０の裏側には後述の太陽電池３４３（例えば図３参照）が配置され、表側から入光した光により太陽電池３４３において発電がなされる。そのため、文字板１１０はある程度光線を透過する材質で形成される。
【００１７】
また、電子時計１００は、日付や時刻に関する時刻情報を含む衛星電波を衛星から受信し、受信した衛星電波に含まれる時刻情報に基づいて、腕時計内部に保持している時刻の情報である内部時刻を修正する衛星電波腕時計である。衛星は、一例としてはＧＰＳ衛星である。ＧＰＳはＧｌｏｂａｌ  Ｐｏｓｉｔｉｏｎｉｎｇ  Ｓｙｓｔｅｍ（全地球測位システム）の略である。例えば、電子時計１００における太陽電池３４３と重畳しない領域には、衛星電波を受信するための後述のアンテナ３１０（例えば図３参照）が配置される。アンテナ３１０は、表側の面が衛星からの電波を受信する受信面となっている。アンテナ３１０の受信面、太陽電池３４３の受光面及び文字板１１０は、互いに平行に設けられており、いずれも表側を向いている。
【００１８】
また、電子時計１００においては、文字板１１０の周囲に、「ＯＫ」の文字である受信成功文字１４１と、「ＮＯ」の文字である受信失敗文字１４２と、「ＲＸ−ＧＰＳ」の文字である測位文字１４３と、「ＲＸ−ＴＩＭＥ」の文字である測時文字１４４と、が表されている。
【００１９】
受信成功文字１４１と受信失敗文字１４２は、秒針１２３を用いて、電子時計１００による衛星電波の受信処理の結果の成否を指し示すためのインデックスである。また、測時文字１４４は、電子時計１００により測時受信動作が行われる場合に、秒針１２３を用いて、測時受信動作中であることの表示を行うためのインデックスである。測時受信動作は、衛星電波に含まれる時刻情報に基づいて、電子時計１００の内部時刻を修正する動作である。また、測位文字１４３は、電子時計１００により測位受信動作が行われる場合に、秒針１２３を用いて、測位受信動作中であることの表示を行うためのインデックスである。
【００２０】
測位受信動作は、衛星電波に含まれる時刻情報を取得するとともに、複数の衛星と観測点（電子時計１００）との距離に基づいて、観測点の位置情報（測位情報）を算出し、測位情報と電子時計１００が有する地図データとに基づいて、電子時計１００の内部時刻を現在位置の時刻情報に修正する動作である。測位情報は、例えば、現在位置の緯度及び経度に関する情報を含む。
【００２１】
地図データは、現在位置に対応したタイムゾーンを有する。タイムゾーンとしては、ＵＴＣやＧＭＴ（Ｇｒｉｎｉｄｇｅ  Ｍｅａｎ  Ｔｉｍｅ）を基準とした値を用いることができる。例えば、世界地図を所定の緯度、経度ごとに細分化し、細分化された領域ごとに時差情報が与えられる。細分化された領域内に複数の時差が含まれる場合は、さらに細分化されてもよい。地図データは、このように定義された領域と時差情報との対応情報である。また、地図データは、例えば後述のＲＯＭ３３２に格納される。また、地図データは、現在位置を代表する都市名並びにサマータイムの適用可否、サマータイム開始／終了時間、受信可能なＧＮＳＳ（Ｇｌｏｂａｌ  Ｎａｖｉｇａｔｉｏｎ  Ｓａｔｅｌｌｉｔｅ  Ｓｙｓｔｅｍ  ／  全球測位衛星システム）の種類といった情報を含んでもよい。
【００２２】
また、文字板１１０の周囲の見返しリングにはタイムゾーン表示部１５０が設けられている。図１に示す例では、タイムゾーン表示部１５０は、６０通りのタイムゾーンに対応する６０個の表記（例えば刻印）である。また、タイムゾーン表示部１５０の外周には、「＋１」、「＋２」、「＋３」などの主なタイムゾーンが表記されている。例えば、文字板１１０の「０秒」に対応する位置には「０」を示すタイムゾーン表示部１５０が表記されている。また、文字板１１０の「２秒」に対応する位置には「＋１」を示すタイムゾーン表示部１５０が表記されている。
【００２３】
例えば、ユーザは、第１プッシュボタン１３２を数秒間長押しする操作によって測位受信動作を行なう。この場合に、第１プッシュボタン１３２を押下することにより、例えば秒を刻んでいた秒針１２３が一時的に通常の計時動作を離れ、測位文字１４３を指し示す。
【００２４】
また、ユーザは、第２プッシュボタン１３３を数秒間長押しする操作によって測時受信動作を行なう。この場合に、第２プッシュボタン１３３を押下することにより、例えば秒を刻んでいた秒針１２３が一時的に通常の計時動作を離れ、測時文字１４４を指し示す。
【００２５】
なお、電子時計１００に対する操作はこれらに限られない。例えば、第１プッシュボタン１３２を連続して二度押下することによって測位受信動作を実行することとしてもよい。あるいは、第１プッシュボタン１３２及び第２プッシュボタン１３３以外を用いた操作、例えば、リューズ１３１の操作によって測位受信動作又は測時受信動作の指示を行ってもよい。また、電子時計１００にタッチセンサを設けて当該タッチセンサの操作によって行ってもよい。その他、光又は磁気による操作を用いてもよい。
【００２６】
図１に示した電子時計１００の外観は一例であり、電子時計１００の外観はこれに限らない。例えば、胴を丸型でなく角型にしてもよいし、リューズ１３１等の有無、数、配置も任意に変更することができる。また、指針として時針１２１、分針１２２、秒針１２３の３本を備える構成に限らず、例えば秒針１２３を省略してもよい。又は、曜日、サマータイムの有無、電波の受信状態や電池の残量、各種の表示を行う指針や、日付表示等を追加したりしてもよい。
【００２７】
（実施の形態１にかかる電子時計における各タイムゾーンの種別）
図２は、実施の形態１にかかる電子時計における各タイムゾーンの種別の一例を示す図である。図２において、図１に示した部分と同様の部分については同一の符号を付して説明を省略する。図２に示すタイムゾーン表示部１５０ａ（白抜きで図示）は、図１に示したタイムゾーン表示部１５０のうち、電子時計１００の現在位置に基づいて自動で設定され得る各タイムゾーンを示している。また、タイムゾーン表示部１５０ａが示す各タイムゾーンは、手動によっても設定可能である。タイムゾーン表示部１５０ａが示す各タイムゾーンには、例えば、「０」、「＋１」、「＋２」などが含まれる。
【００２８】
図２に示すタイムゾーン表示部１５０ｂ（ハッチングで図示）は、図１に示したタイムゾーン表示部１５０のうち、電子時計１００の現在位置に基づいて自動で設定されないが、手動によって設定可能な各タイムゾーンを示している。なお、図２においてはタイムゾーン表示部１５０ｂをハッチングで図示しているが、タイムゾーン表示部１５０ｂの外観は図１に示したようにタイムゾーン表示部１５０ａと同じであってもよい。タイムゾーン表示部１５０ｂが示す各タイムゾーンには、図２に示す例では「−４．５」及び「＋１０．５」が含まれる。
【００２９】
例えば、タイムゾーン表示部１５０ｂが示す各タイムゾーンは、過去に採用していた地域（例えば国）が存在していたが、その地域のタイムゾーンが変更され、採用する地域が存在しなくなったタイムゾーンである。このようなタイムゾーンは、電子時計１００の現在位置に基づいて自動で設定されることはないが、ユーザによってはこのタイムゾーンによる時刻を電子時計１００によって表示させたい場合がある。
【００３０】
これに対して、電子時計１００は、自動で設定され得るタイムゾーン（例えばタイムゾーン表示部１５０ａの各タイムゾーン）に加えて、自動で設定されないタイムゾーン（例えばタイムゾーン表示部１５０ｂの各タイムゾーン）を、手動で設定可能なタイムゾーンとしている。これにより、ユーザは、電子時計１００の現在位置に基づいて自動で設定されないタイムゾーンについても手動で設定することが可能になり、柔軟なタイムゾーンの設定が可能になる。
【００３１】
図２に示すタイムゾーン表示部１５０ｃ（黒塗りで図示）は、図１に示したタイムゾーン表示部１５０のうち、自動でも手動でも設定できない各タイムゾーンを示している。なお、図２においてはタイムゾーン表示部１５０ｃを黒塗りで図示しているが、タイムゾーン表示部１５０ｃの外観は図１に示したようにタイムゾーン表示部１５０ａと同じであってもよい。タイムゾーン表示部１５０ｃが示す各タイムゾーンには、例えば、「＋０．５」、「＋１．５」、「＋２．５」などが含まれる。
【００３２】
また、手動のみの設定であるか手動も自動も設定可能であるかについて、電子時計１００の内部時刻に応じて切り替えるようにしてもよい。一例としては、２０１７年１２月３１日までは、あるタイムゾーンは自動選択できるが、２０１８年１月１日以降はそのタイムゾーンは手動でのみ設定可能になるようにしてもよい。これにより、例えば予め地図データの更新データを取得しておき、ある時刻（一例としては２０１８年１月１日）に地図データを更新する場合に、手動のみの設定であるか手動も自動も設定可能であるかについても自動的に切り替えることができる。
【００３３】
（実施の形態１にかかる電子時計のハードウェア構成）
図３は、実施の形態１にかかる電子時計のハードウェア構成の一例を示す図である。図３に示すように、実施の形態１にかかる電子時計１００は、アンテナ３１０と、受信回路３２０と、制御回路３３０と、二次電池３４０と、スイッチ３４２と、太陽電池３４３と、駆動機構３５０と、時刻表示部３５１と、操作部３６０と、により実現される。
【００３４】
アンテナ３１０は、時刻情報を含んだ電波として衛星から送信される衛星電波を受信する。例えば、アンテナ３１０は、ＧＰＳ衛星から送信される衛星電波を受信するパッチアンテナである。ただし、アンテナ３１０は、パッチアンテナに限らず、例えばチップアンテナや逆Ｆアンテナなどであってもよい。
【００３５】
受信回路３２０は、アンテナ３１０によって受信された衛星電波を復号し、復号の結果得られる衛星電波の内容を示すビット列（受信データ）を出力する。例えば、受信回路３２０は、高周波回路３２１（ＲＦ回路）及びデコード回路３２２を含む。
【００３６】
高周波回路３２１は、高周波数で動作する集積回路である。例えば、高周波回路３２１は、アンテナ３１０が受信したアナログ信号に対して増幅及び検波を行うことにより、アンテナ３１０が受信したアナログ信号をベースバンド信号に変換する。
【００３７】
デコード回路３２２は、ベースバンド処理を行う集積回路である。例えば、デコード回路３２２は、高周波回路３２１が出力するベースバンド信号を復号してＧＰＳ衛星から受信したデータの内容を示すビット列を生成する。そして、デコード回路３２２は、生成したビット列を制御回路３３０へ出力する。
【００３８】
制御回路３３０は、演算部３３１と、ＲＯＭ３３２と、ＲＡＭ３３３と、ＲＴＣ３３４と、モータ駆動回路３３５と、を含む。ＲＯＭはＲｅａｄ  Ｏｎｌｙ  Ｍｅｍｏｒｙの略である。ＲＡＭはＲａｎｄｏｍ  Ａｃｃｅｓｓ  Ｍｅｍｏｒｙ（ランダムアクセスメモリ）の略である。ＲＴＣはＲｅａｌ  Ｔｉｍｅ  Ｃｌｏｃｋ（リアルタイムクロック）の略である。制御回路３３０は、例えばマイクロコンピュータ等の情報処理装置により実現することができる。
【００３９】
演算部３３１は、ＲＯＭ３３２に格納されたプログラムに従って各種の情報処理を行う。演算部３３１が実行する処理の詳細については後述する。ＲＡＭ３３３は、演算部３３１のワークメモリとして用いられ、演算部３３１の処理対象となるデータが書き込まれる。例えば、受信回路３２０によって受信された衛星電波の内容を表すビット列（受信データ）が、ＲＡＭ３３３のバッファ領域に順次書き込まれる。ＲＴＣ３３４は、電子時計１００における計時に使用されるクロック信号を供給する。
【００４０】
また、ＲＯＭ３３２には、位置とタイムゾーンとを対応付ける地図データ（例えば図４参照）が記憶される。例えば、演算部３３１は、受信回路３２０によって受信された複数の衛星情報に基づいて、電子時計１００の現在位置を特定する測位動作を行う。そして、演算部３３１は、判定した電子時計１００の現在位置と、ＲＯＭ３３２に記憶された地図データと、に基づいて、電子時計１００の現在位置に対応するタイムゾーンを判定する。
【００４１】
また、演算部３３１は、ＲＴＣ３３４から供給される信号によって計時される内部時刻を、受信回路３２０によって受信された衛星電波に含まれる時刻情報に基づいて修正する。また、演算部３３１は、修正した内部時刻及び判定したタイムゾーンに基づいて、時刻表示部３５１に表示すべき時刻（表示時刻）を決定する。
【００４２】
モータ駆動回路３３５は、演算部３３１により決定された表示時刻に応じて、後述する駆動機構３５０に含まれるモータを駆動する駆動信号を出力する。これにより、制御回路３３０によって決定された表示時刻が時刻表示部３５１に表示される。
【００４３】
二次電池３４０は、太陽電池３４３によって発電された電力を蓄積する。そして、二次電池３４０は、蓄積した電力を、受信回路３２０や制御回路３３０に対して供給する。二次電池３４０は、例えばリチウムイオン電池等により実現することができる。
【００４４】
二次電池３４０から受信回路３２０への電力供給路の途中にはスイッチ３４２が設けられており、このスイッチ３４２のオン／オフは制御回路３３０が出力する制御信号によって切り替えられる。例えば、制御回路３３０がスイッチ３４２のオン／オフを切り替えることで、受信回路３２０の動作タイミングが制御される。この場合に、受信回路３２０は、スイッチ３４２を介して二次電池３４０から電力が供給されている間だけ動作し、その間にアンテナ３１０が受信した衛星電波の復号を行う。
【００４５】
太陽電池３４３は、例えば文字板１１０の裏側に配置されている。そして、太陽電池３４３は、電子時計１００に対して照射される太陽光などの外光によって発電し、発電した電力を二次電池３４０に供給する。
【００４６】
駆動機構３５０は、前述したモータ駆動回路３３５から出力される駆動信号に応じて動作するステップモータと、輪列と、を含んで構成され、ステップモータの回転を輪列が伝達することによって、秒針１２３などの指針を回転させる。
【００４７】
時刻表示部３５１は、例えば、図１に示した指針及び文字板１１０によって構成される。指針は、時針１２１、分針１２２及び秒針１２３からなり、これらの指針が文字板１１０上を回転することによって現在時刻が表示される。また、後述するように、指針（例えば秒針１２３）は、複数種類の情報の表示に割り当てられる。
【００４８】
操作部３６０は、ユーザによる操作を受け付けて、その操作内容を制御回路３３０に対して出力する。制御回路３３０は、操作部３６０が受け付けた操作入力の内容に応じて各種の処理を実行する。例えば、制御回路３３０は、ユーザによる操作部３６０に対する操作入力に応じて、衛星電波の受信処理を行う。操作部３６０は、例えば図１に示したリューズ１３１、第１プッシュボタン１３２及び第２プッシュボタン１３３などにより実現することができる。
【００４９】
データ更新モジュール３６１は、ＲＯＭ３３２に記憶される地図データを、電子時計１００の外部からの操作に従って更新する。例えば、データ更新モジュール３６１は、電子時計１００に設けられたコイル（例えばモータコイル）を介して磁界の変化による通信を行う非接触通信インタフェースを有し、ＲＯＭ３３２に記憶される地図データを、この非接触通信インタフェースにより受信された地図データに更新する。
【００５０】
又は、データ更新モジュール３６１は、電子時計１００の外部の装置との間で有線通信が可能な有線通信インタフェースを有し、ＲＯＭ３３２に記憶される地図データを、この有線通信インタフェースにより受信された地図データに更新する。
【００５１】
又は、データ更新モジュール３６１は、電子時計１００の外部の装置との間で無線通信が可能な無線通信インタフェースを有し、ＲＯＭ３３２に記憶される地図データを、この無線通信インタフェースにより受信された地図データに更新してもよい。この無線通信インタフェースには、無線ＬＡＮ、ブルートゥース、セルラ通信など各種の無線通信のインタフェースを用いることができる。ブルートゥースは登録商標である。ＬＡＮはＬｏｃａｌ  Ａｒｅａ  Ｎｅｔｗｏｒｋ（構内通信網）の略である。また、この無線通信インタフェースは、アンテナ３１０及び受信回路３２０に含まれていてもよい。
【００５２】
また、データ更新モジュール３６１は、地図データを更新し、更新前には地図データに含まれていたが更新後の地図データには含まれていないタイムゾーンがある場合はその旨をユーザへ通知してもよい。これにより、地図データの更新により設定不可になったタイムゾーンがある場合にその旨をユーザへ通知することができる。又は、データ更新モジュール３６１が、その設定不可になったタイムゾーンが地図データの更新前に設定していたタイムゾーンである場合にのみユーザへの通知を行ってもよい。
【００５３】
また、データ更新モジュール３６１は、地図データを更新し、更新前には地図データに含まれていなかったが更新後の地図データには含まれているタイムゾーンがある場合はその旨をユーザへ通知してもよい。例えば、データ更新モジュール３６１は、追加されたタイムゾーンとプラス方向に最も近い既存のタイムゾーンと、追加されたタイムゾーンとマイナス方向に最も近い既存のタイムゾーンと、の中間を秒針１２３により指示することにより通知を行う。これにより、地図データの更新により手動でのみ設定可能なタイムゾーンが追加された場合にその旨をユーザへ通知することができる。
【００５４】
また、データ更新モジュール３６１は、地図データを更新した場合にその旨をユーザへ通知してもよい。また、データ更新モジュール３６１は、地図データの更新した時刻（例えば年）をユーザへ通知してもよい。データ更新モジュール３６１によるユーザへの各種の通知は、例えばデータ更新モジュール３６１がモータ駆動回路３３５に対して所定の時刻表示部３５１の制御を行なうように指示することにより実現することができる。
【００５５】
図３に示した電子時計１００において、タイムゾーンを設定する設定部は、演算部３３１、ＲＯＭ３３２、ＲＡＭ３３３及びＲＴＣ３３４に基づいて実現することができる。また、設定部により設定されたタイムゾーンに基づく時刻をユーザに通知する通知部は、例えばモータ駆動回路３３５、駆動機構３５０及び時刻表示部３５１により実現することができる。
【００５６】
（実施の形態１にかかる電子時計が有する地図データ）
図４は、実施の形態１にかかる電子時計が有する地図データの一例を示す図である。図３に示した電子時計１００のＲＯＭ３３２には、例えば図４に示す地図データ４００が記憶される。地図データ４００は、位置とタイムゾーンとを対応付ける対応情報である。
【００５７】
地図データ４００の位置は、例えば図３に示したアンテナ３１０及び受信回路３２０により受信される衛星信号から特定される電子時計１００の現在位置である。地図データ４００のタイムゾーンは、電子時計１００の現在位置に対応するタイムゾーンである。
【００５８】
電子時計１００は、特定した電子時計１００の現在位置に対応するタイムゾーンを地図データ４００から判定することができる。例えば、電子時計１００の現在位置がＰ１であった場合は、電子時計１００の現在位置に対応するタイムゾーンはＺ１であると判断することができる。
【００５９】
図４に示す例では、地図データ４００が電子時計１００の現在位置とタイムゾーンとを直接的に対応付ける情報である場合について説明したが、地図データ４００は電子時計１００の現在位置とタイムゾーンとを間接的に対応付ける情報であってもよい。例えば、地図データ４００は、電子時計１００の現在位置と地域（例えば国）とを対応付ける情報と、地域とタイムゾーンとを対応付ける情報と、の組み合わせによって実現されてもよい。
【００６０】
（実施の形態１にかかる電子時計の衛星電波の受信によるタイムゾーン設定処理）
図５は、実施の形態１にかかる電子時計の衛星電波の受信によるタイムゾーン設定処理の一例を示すフローチャートである。実施の形態１にかかる電子時計１００は、定期的に、又はユーザからの指示（強制）により、例えば図５に示す各ステップを実行する。
【００６１】
まず、電子時計１００は、衛星電波を受信する（ステップＳ５０１）。ステップＳ５０１は、例えば図３に示したアンテナ３１０及び受信回路３２０により実行される。つぎに、電子時計１００は、ステップＳ５０１により受信した衛星電波に基づいて、電子時計１００の現在位置を特定する（ステップＳ５０２）。ステップＳ５０２は、例えば図３に示した演算部３３１により実行される。
【００６２】
つぎに、電子時計１００は、ステップＳ５０２により特定した現在位置と地図データに基づくタイムゾーンを判定する（ステップＳ５０３）。ステップＳ５０３は、例えば図３に示したＲＯＭ３３２に記憶された地図データ（例えば図４に示した地図データ４００）に基づいて図３に示した演算部３３１により実行される。
【００６３】
つぎに、電子時計１００は、自装置に設定済みのタイムゾーンは手動により設定されたものであるか否かを判断する（ステップＳ５０４）。例えば、電子時計１００は、自装置に設定済みのタイムゾーンが後述のステップＳ５０７により設定されたものである場合は、手動により設定されたものでないと判断することができる。また、電子時計１００は、自装置に設定済みのタイムゾーンが後述のステップＳ５０７により設定されたものでない場合は、手動により設定されたものであると判断することができる。
【００６４】
例えば、電子時計１００は、ステップＳ５０７によってタイムゾーンを電子時計１００の現在位置に基づいて設定したことを示す情報がＲＯＭ３３２又はＲＡＭ３３３に記憶されているか否かに基づいてステップＳ５０４の判断を行うことができる。又は、電子時計１００は、手動によりタイムゾーンが設定された場合にその旨の情報（フラグ）をＲＯＭ３３２又はＲＡＭ３３３に記憶しておき、その情報（フラグ）がＲＯＭ３３２又はＲＡＭ３３３に記憶されているか否かに基づいてステップＳ５０４の判断を行ってもよい。ステップＳ５０４は、例えば図３に示した演算部３３１により実行される。
【００６５】
ステップＳ５０４において、設定済みのタイムゾーンが手動により設定されたものでない場合（ステップＳ５０４：Ｎｏ）は、設定済みのタイムゾーンは、電子時計１００の現在位置に基づいて自動的に設定されたものであり、ユーザが主体的に設定したのではないと判断することができる。この場合は、電子時計１００は、ステップＳ５０３により判定したタイムゾーンが指針により指示可能であるか否かを判断する（ステップＳ５０５）。この指針は、例えば図１に示した時針１２１、分針１２２及び秒針１２３の少なくともいずれかであり、一例としては秒針１２３である。指針により指示可能でないタイムゾーンは、例えば、地図データの更新によって新たに追加されたタイムゾーンである。ステップＳ５０５は、例えば図３に示した演算部３３１により実行される。
【００６６】
ステップＳ５０５において、判定したタイムゾーンが指針により指示可能である場合（ステップＳ５０５：Ｙｅｓ）は、電子時計１００は、ステップＳ５０７へ移行する。判定したタイムゾーンが指針により指示可能でない場合（ステップＳ５０５：Ｎｏ）は、電子時計１００は、判定したタイムゾーンの丸め処理を行う（ステップＳ５０６）。タイムゾーンの丸め処理は、そのタイムゾーンを指針により指示可能なタイムゾーンに丸める処理である。ステップＳ５０６は、例えば図３に示した演算部３３１により実行される。
【００６７】
つぎに、電子時計１００は、自装置のタイムゾーンを設定し、設定したタイムゾーンに基づいて表示時刻を修正し（ステップＳ５０７）、一連の処理を終了する。ステップＳ５０７において、例えば、電子時計１００は、ステップＳ５０６を経由してステップＳ５０７へ移行した場合はステップＳ５０６の丸め処理によって丸められたタイムゾーンを設定する。また、電子時計１００は、ステップＳ５０６を経由せずにステップＳ５０７へ移行した場合はステップＳ５０３により判定したタイムゾーンを設定する。また、電子時計１００が衛星電波時計である場合は、設定したタイムゾーンと、測位受信時に取得した時刻情報とに基づいて表示時刻を修正する。又は、電子時計１００が衛星電波時計ではなく他の通信手段により位置情報だけを取得した場合は、内部時刻にタイムゾーン情報を付与することにより表示時刻を修正する。ステップＳ５０４のタイムゾーンの設定は、例えば図３に示した演算部３３１により実行される。
【００６８】
ステップＳ５０７の表示時刻の修正は、例えば図３に示した演算部３３１がモータ駆動回路３３５を制御することにより実行される。また、電子時計１００は、ステップＳ５０７において、将来においてステップＳ５０４の判断を行うために、ステップＳ５０７によってタイムゾーンを電子時計１００の現在位置に基づいて設定したことを示す情報をＲＯＭ３３２又はＲＡＭ３３３に記憶してもよい。
【００６９】
ステップＳ５０４において、設定済みのタイムゾーンが手動により設定されたものである場合（ステップＳ５０４：Ｙｅｓ）は、設定済みのタイムゾーンは、ユーザが主体的に設定したのであると判断することができる。この場合は、電子時計１００は、ステップＳ５０１による衛星電波の受信が定刻受信であるか否かを判断する（ステップＳ５０８）。ステップＳ５０８の判断は、例えば、ステップＳ５０１が定期的に実行されたか、又はステップＳ５０１がユーザからの指示（強制）により実行されたかを判断することにより行うことができる。ステップＳ５０８は、例えば図３に示した演算部３３１により実行される。
【００７０】
ステップＳ５０８において、定刻受信でない場合（ステップＳ５０８：Ｎｏ）は、衛星電波の受信は、自動的に行われたのではなくユーザの主体的な操作によって行われた強制受信であると判断することができる。この場合は、電子時計１００は、ステップＳ５０５へ移行して電子時計１００の現在位置に基づくタイムゾーンの設定を行う。
【００７１】
ステップＳ５０８において、定刻受信である場合（ステップＳ５０８：Ｙｅｓ）は、衛星電波の受信は、ユーザの主体的な操作によって行われたのではなく自動的に行われたと判断することができる。この場合は、電子時計１００は、設定済みのタイムゾーンと、ステップＳ５０３により判定したタイムゾーンと、の時差（絶対値）が所定値以上であるか否かを判断する（ステップＳ５０９）。この所定値は、任意の値にすることができるが、一例としては２時間程度とすることができる。ステップＳ５０９は、例えば図３に示した演算部３３１により実行される。
【００７２】
ステップＳ５０９において、時差が所定値以上である場合（ステップＳ５０９：Ｙｅｓ）は、手動で設定されたタイムゾーンと、電子時計１００の現在位置に対応するタイムゾーンと、のずれが大きいと判断することができる。このような状況になる理由として、例えば、国をまたぐ移動により電子時計１００の現在位置が大幅に変化したなどの理由が挙げられる。この場合は、電子時計１００は、ステップＳ５０５へ移行して電子時計１００の現在位置に基づくタイムゾーンの設定を行う。これにより、電子時計１００のタイムゾーンを、電子時計１００の現在位置に対応するタイムゾーンに自動的に修正することができる。
【００７３】
ステップＳ５０９において、時差が所定値以上でない場合（ステップＳ５０９：Ｎｏ）は、手動で設定されたタイムゾーンと、電子時計１００の現在位置に対応するタイムゾーンと、のずれが小さいと判断することができる。この場合は、電子時計１００は、一連の処理を終了する。これにより、電子時計１００の現在位置に基づくタイムゾーンの設定を行わずに、手動で設定されたタイムゾーンを維持することができる。
【００７４】
図５に示した各ステップにより、電子時計１００は、設定済みのタイムゾーンがユーザ操作（手動）により選択されたタイムゾーンでない場合に、地図データ及び電子時計１００の現在位置に基づくタイムゾーンを設定する。また、設定済みのタイムゾーンがユーザ操作に基づくタイムゾーンである又は設定済みのタイムゾーンがユーザ操作に基づくタイムゾーンと現在位置に基づくタイムゾーンとの変化が小さい場合は、地図データ及び電子時計１００の現在位置に基づくタイムゾーンを設定しない。これにより、ユーザによる主体的な操作によって設定されたタイムゾーンが自動的に変更されることを回避し、ユーザビリティを向上させることができる。
【００７５】
また、電子時計１００は、設定済みのタイムゾーンがユーザ操作に基づくタイムゾーンであっても、ユーザ操作によって地図データ及び電子時計１００の現在位置に基づくタイムゾーンの設定を指示（強制受信）された場合は地図データ及び電子時計１００の現在位置に基づくタイムゾーンを設定する。これにより、ユーザによる主体的な操作によってタイムゾーンが設定されていても、ユーザによる主体的な操作によって位置情報の受信指示があった場合は地図データ及び電子時計１００の現在位置に基づくタイムゾーンを設定し、ユーザビリティを向上させることができる。
【００７６】
また、電子時計１００は、設定済みのタイムゾーンがユーザ操作に基づくタイムゾーンであり、ユーザ操作によって地図データ及び電子時計１００の現在位置に基づくタイムゾーンの設定を指示されていなくても、設定済みのタイムゾーンと、地図データ及び電子時計１００の現在位置に基づくタイムゾーンと、の間の時差が所定値以上である場合は地図データ及び電子時計１００の現在位置に基づくタイムゾーンを設定する。これにより、例えばユーザが電子時計１００とともに地域をまたぐ移動を行い、ユーザが過去に手動で設定したタイムゾーンと現在位置のタイムゾーンとが大きくずれている場合は現在位置のタイムゾーンを設定し、ユーザビリティを向上させることができる。
【００７７】
また、ステップＳ５０９において設定済みのタイムゾーンと、地図データ及び電子時計１００の現在位置に基づくタイムゾーンと、の間の時差が所定値以上か否かを判断する処理について説明したが、このような処理に限らない。例えば、電子時計１００は、ステップＳ５０９において、設定済みのタイムゾーンを設定した際の電子時計１００の位置と、電子時計１００の現在位置と、の間の距離が所定値以上か否かを判断してもよい。そして、電子時計１００は、この距離が所定値以上である場合はステップＳ５０５へ移行し、この距離が所定値以上でない場合は一連の処理を終了する。
【００７８】
又は、電子時計１００は、設定済みのタイムゾーンと、地図データ及び電子時計１００の現在位置に基づくタイムゾーンと、の間の時差が所定値以上であっても、地図データ及び電子時計１００の現在位置に基づくタイムゾーンを設定しなくてもよい。例えば、ステップＳ５０９へ移行した場合は一連の処理を終了するようにしてもよい。又は、ステップＳ５０９へ移行した場合に、地図データ及び電子時計１００の現在位置に基づくタイムゾーンを設定するか否かをユーザに問い合わせ、ユーザからの指示に従ってこのタイムゾーンを設定し、又は設定しないようにしてもよい。又は、ステップＳ５０９の処理を行うか否かをユーザの操作により設定できるようにしてもよい。ユーザの操作によりステップＳ５０９の処理を行わないように設定され、ステップＳ５０９へ移行した場合は一連の処理を終了する。
【００７９】
このように、実施の形態１にかかる電子時計１００によれば、位置とタイムゾーンとの対応情報及び自装置の位置に基づくタイムゾーンを設定し、又はユーザ操作に基づくタイムゾーンを設定する。そして、ユーザ操作により選択可能なタイムゾーンの数が、位置とタイムゾーンとの対応情報及び自装置の位置に基づいて設定可能なタイムゾーンの数より多い。これにより、ユーザは、電子時計１００の位置に基づいて自動で設定されないタイムゾーンについても手動で設定することが可能になり、柔軟なタイムゾーンの設定が可能になる。
【００８０】
また、電子時計１００は、対応情報及び自装置の位置に基づいて設定可能なタイムゾーンだけでなく、それらのタイムゾーンとは異なるタイムゾーン（ユーザ操作のみで設定可能なタイムゾーン）を示す各表記部（タイムゾーン表示部１５０）を備える。これにより、ユーザは、対応情報及び自装置の位置に基づいて自動的に設定されるタイムゾーンの他に、ユーザ操作のみで設定可能なタイムゾーンがあることを認識することができる。
【００８１】
なお、例えば図２に示した例において、タイムゾーン表示部１５０ａが示す各タイムゾーンは自動及び手動で設定可能であり、タイムゾーン表示部１５０ｂ、１５０ｃが示す各タイムゾーンが手動でのみ設定可能である構成について説明したが、このような構成に限らない。例えば、タイムゾーン表示部１５０ａが示す各タイムゾーンは自動及び手動で設定可能であり、タイムゾーン表示部１５０ｂが示す各タイムゾーンが手動でのみ設定可能であり、タイムゾーン表示部１５０ｃが示す各タイムゾーンが自動でも手動でも設定不可能である構成としてもよい。
【００８２】
（実施の形態２）
実施の形態２について、実施の形態１と異なる部分について説明する。
【００８３】
（実施の形態２にかかる電子時計のスキップ有りのタイムゾーン設定モードの動作）
図６は、実施の形態２にかかる電子時計のスキップ有りのタイムゾーン設定モードの動作の一例を示す図である。図６において、図２に示した部分と同様の部分については同一の符号を付して説明を省略する。図６に示す例では、電子時計１００はスキップ有りのタイムゾーン設定モードになっている。
【００８４】
スキップ有りのタイムゾーン設定モードは、ユーザが手動で電子時計１００のタイムゾーンを設定可能なモードであって、ユーザの操作に応じて設定候補のタイムゾーンを順次切り替える際に、ユーザが選択する可能性が低い一部のタイムゾーンについてはスキップするモードである。ユーザが選択する可能性が低い一部のタイムゾーンは、図６に示す例では、タイムゾーン表示部１５０ｃが示す各タイムゾーンである。
【００８５】
スキップ有りのタイムゾーン設定モードにおいて、例えばリューズ１３１を１段引いてリューズ１３１を正方向に５回転すると、秒針１２３による指示方向は、指示方向６０１、指示方向６０２、指示方向６０３、指示方向６０４、指示方向６０５、指示方向６０６の順に変化する。
【００８６】
指示方向６０１は、リューズ１３１を１段引いた段階の秒針１２３による指示方向であって、電子時計１００に設定されているタイムゾーンを示す方向である。図６に示す例では、指示方向６０１は、タイムゾーン表示部１５０ａが示す各タイムゾーンに含まれる「＋７」の方向である。
【００８７】
指示方向６０２は、リューズ１３１を１段引いてリューズ１３１を正方向に１回転させた段階の秒針１２３による指示方向である。図６に示す例では、指示方向６０２は、タイムゾーン表示部１５０ａが示す各タイムゾーンに含まれる「＋８」の方向である。すなわち、秒針１２３は、タイムゾーン表示部１５０ｃが示す各タイムゾーンに含まれる「＋７．５」の方向をスキップし、タイムゾーン表示部１５０ａが示す各タイムゾーンに含まれる次の「＋８」の方向を指示する。
【００８８】
指示方向６０３は、リューズ１３１を１段引いてリューズ１３１を正方向に２回転させた段階の秒針１２３による指示方向である。図６に示す例では、指示方向６０３は、タイムゾーン表示部１５０ａが示す各タイムゾーンに含まれる「＋８．５」の方向である。すなわち、秒針１２３は、タイムゾーン表示部１５０ｃが示す各タイムゾーンに含まれる「＋８．２５」の方向をスキップし、タイムゾーン表示部１５０ａが示す各タイムゾーンに含まれる次の「＋８．５」の方向を指示する。
【００８９】
指示方向６０４は、リューズ１３１を１段引いてリューズ１３１を正方向に３回転させた段階の秒針１２３による指示方向である。図６に示す例では、指示方向６０４は、タイムゾーン表示部１５０ａが示す各タイムゾーンに含まれる「＋８．７５」の方向である。すなわち、秒針１２３は、タイムゾーン表示部１５０ａが示す各タイムゾーンに含まれる次の「＋８．７５」の方向をスキップせずに指示する。
【００９０】
指示方向６０５は、リューズ１３１を１段引いてリューズ１３１を正方向に４回転させた段階の秒針１２３による指示方向である。図６に示す例では、指示方向６０５は、タイムゾーン表示部１５０ａが示す各タイムゾーンに含まれる「＋９」の方向である。すなわち、秒針１２３は、タイムゾーン表示部１５０ａが示す各タイムゾーンに含まれる次の「＋９」の方向をスキップせずに指示する。
【００９１】
指示方向６０６は、リューズ１３１を１段引いてリューズ１３１を正方向に５回転させた段階の秒針１２３による指示方向である。図６に示す例では、指示方向６０６は、タイムゾーン表示部１５０ａが示す各タイムゾーンに含まれる「＋９．５」の方向である。すなわち、秒針１２３は、タイムゾーン表示部１５０ｃが示す各タイムゾーンに含まれる「＋９．２５」の方向をスキップし、タイムゾーン表示部１５０ａが示す各タイムゾーンに含まれる次の「＋９．５」の方向を指示する。
【００９２】
図６に示したように、スキップ有りのタイムゾーン設定モードにおいて、秒針１２３は、リューズ１３１の回転に応じて、タイムゾーン表示部１５０ｃが示す各タイムゾーンをスキップしつつ、タイムゾーン表示部１５０ａが示す各タイムゾーンを順次指示する。また、スキップ有りのタイムゾーン設定モードにおいて、秒針１２３は、リューズ１３１の回転に応じて、タイムゾーン表示部１５０ｂが示す各タイムゾーン（「−４．５」及び「＋１０．５」）はスキップせずに指示する。
【００９３】
また、実施の形態２にかかる小窓１６０は、スキップ有りのタイムゾーン設定モードにおいて、秒針１２３が指示しているタイムゾーンの種別を表示してもよい。例えば、小窓１６０における左半分の外周（「ＳＫＩＰ」の文字の付近）には、「Ｍ／Ａ」、「Ｍ」及び「Ｎｏｎ」が表記されている。「Ｍ／Ａ」は、自動でも手動でも選択可能なタイムゾーンであることを示す。「Ｍ」は、手動でのみ選択可能なタイムゾーンであることを示す。「Ｎｏｎ」は、選択できないタイムゾーンであることを示す。
【００９４】
例えば、秒針１２３が指示方向６０１〜６０６を指示しているときは、小窓１６０の指針１６１は「Ｍ／Ａ」を指示する。また、秒針１２３がタイムゾーン表示部１５０ｂ（「−４．５」又は「＋１０．５」）を指示しているときは、小窓１６０の指針１６１は「Ｍ」を指示する。これにより、ユーザは、リューズ１３１を１段引いてリューズ１３１を回転させるごとに、移動した秒針１２３が指示するタイムゾーンの種別を認識できる。
【００９５】
また、電子時計１００は、スキップ有りのタイムゾーン設定モードにおいてリューズ１３１が押し込まれると、そのとき秒針１２３が指示していたタイムゾーンを自装置のタイムゾーンとして設定する。図６においてはリューズ１３１が正方向に回転した場合の例を説明したが、リューズ１３１が逆回転に回転した場合は、図６に示した例とは逆方向に秒針１２３が移動するようにしてもよい。
【００９６】
図６に示す例では、スキップ対象のタイムゾーンを、タイムゾーン表示部１５０ｃが示す各タイムゾーンとする構成について説明したが、このような構成に限らない。例えば、スキップ対象のタイムゾーンは、タイムゾーン表示部１５０ａ、１５０ｃが示す各タイムゾーンとしてもよい。この場合は、リューズ１３１の回転に応じて、タイムゾーン表示部１５０ｂが示す各タイムゾーン（「−４．５」又は「＋１０．５」）のみが指示される。これにより、ユーザは、手動でのみ設定可能なタイムゾーン（「−４．５」又は「＋１０．５」）を設定したい場合は電子時計１００をスキップ有りのタイムゾーン設定モードに遷移させることで、そのタイムゾーンを容易な操作により設定することができる。
【００９７】
（実施の形態２にかかる電子時計のスキップ無しのタイムゾーン設定モードの動作）
図７は、実施の形態２にかかる電子時計のスキップ無しのタイムゾーン設定モードの動作の一例を示す図である。図７において、図６に示した部分と同様の部分については同一の符号を付して説明を省略する。図７に示す例では、電子時計１００はスキップ無しのタイムゾーン設定モード（全選択モード）になっている。
【００９８】
スキップ無しのタイムゾーン設定モードは、ユーザが手動で電子時計１００のタイムゾーンを設定可能なモードであって、ユーザの操作に応じて設定候補のタイムゾーンを順次切り替える際に、いずれのタイムゾーンについてもスキップしないモードである。
【００９９】
スキップ無しのタイムゾーン設定モードにおいて、例えばリューズ１３１を１段引いてリューズ１３１を正方向に５回転すると、秒針１２３による指示方向は、指示方向７０１、指示方向７０２、指示方向７０３、指示方向７０４、指示方向７０５、指示方向７０６の順に変化する。
【０１００】
指示方向７０１は、リューズ１３１を１段引いた段階の秒針１２３による指示方向であって、電子時計１００に設定されているタイムゾーンを示す方向である。図７に示す例では、指示方向７０１は、タイムゾーン表示部１５０ａが示す各タイムゾーンに含まれる「＋７」の方向である。
【０１０１】
指示方向７０２は、リューズ１３１を１段引いてリューズ１３１を正方向に１回転させた段階の秒針１２３による指示方向である。図７に示す例では、指示方向７０２は、タイムゾーン表示部１５０ｃが示す各タイムゾーンに含まれる「＋７．５」の方向である。すなわち、秒針１２３は、タイムゾーン表示部１５０ｃが示す各タイムゾーンに含まれる「＋７．５」の方向をスキップせずに指示する。
【０１０２】
指示方向７０３は、リューズ１３１を１段引いてリューズ１３１を正方向に２回転させた段階の秒針１２３による指示方向である。図７に示す例では、指示方向７０３は、タイムゾーン表示部１５０ａが示す各タイムゾーンに含まれる「＋８」の方向である。すなわち、秒針１２３は、タイムゾーン表示部１５０ａが示す各タイムゾーンに含まれる次の「＋８」の方向を指示する。
【０１０３】
指示方向７０４は、リューズ１３１を１段引いてリューズ１３１を正方向に３回転させた段階の秒針１２３による指示方向である。図７に示す例では、指示方向７０４は、タイムゾーン表示部１５０ｃが示す各タイムゾーンに含まれる「＋８．２５」の方向である。すなわち、秒針１２３は、タイムゾーン表示部１５０ｃが示す各タイムゾーンに含まれる次の「＋８．２５」の方向をスキップせずに指示する。
【０１０４】
指示方向７０５は、リューズ１３１を１段引いてリューズ１３１を正方向に４回転させた段階の秒針１２３による指示方向である。図７に示す例では、指示方向７０５は、タイムゾーン表示部１５０ａが示す各タイムゾーンに含まれる「＋８．５」の方向である。すなわち、秒針１２３は、タイムゾーン表示部１５０ａが示す各タイムゾーンに含まれる次の「＋８．５」の方向を指示する。
【０１０５】
指示方向７０６は、リューズ１３１を１段引いてリューズ１３１を正方向に５回転させた段階の秒針１２３による指示方向である。図７に示す例では、指示方向７０６は、タイムゾーン表示部１５０ａが示す各タイムゾーンに含まれる「＋８．７５」の方向である。すなわち、秒針１２３は、タイムゾーン表示部１５０ａが示す各タイムゾーンに含まれる次の「＋８．７５」の方向を指示する。
【０１０６】
図７に示したように、スキップ無しのタイムゾーン設定モードにおいて、秒針１２３は、リューズ１３１の回転に応じて、図６に示した例ではスキップしたタイムゾーンもスキップせずに各タイムゾーンを順次指示する。
【０１０７】
また、実施の形態２にかかる小窓１６０は、スキップ無しのタイムゾーン設定モードにおいて、秒針１２３が指示しているタイムゾーンの種別を表示してもよい。例えば、秒針１２３が指示方向７０１、７０３、７０５、７０６を指示しているときは、小窓１６０の指針１６１は「Ｍ／Ａ」を指示する。また、秒針１２３が指示方向７０２、７０４を指示しているときは、小窓１６０の指針１６１は「Ｍ」を指示する。ユーザは、リューズ１３１を１段引いてリューズ１３１を回転させるごとに、移動した秒針１２３が指示するタイムゾーンの種別を認識できる。
【０１０８】
また、電子時計１００は、スキップ無しのタイムゾーン設定モードにおいてリューズ１３１が押し込まれると、そのとき秒針１２３が指示していたタイムゾーンを自装置のタイムゾーンとして設定する。図７においてはリューズ１３１が正方向に回転した場合の例を説明したが、リューズ１３１が逆回転に回転した場合は、図７に示した例とは逆方向に秒針１２３が移動するようにしてもよい。
【０１０９】
（実施の形態２にかかる電子時計のスキップ設定修正モードの動作）
図８は、実施の形態２にかかる電子時計のスキップ設定修正モードの動作の一例を示す図である。図８において、図７に示した部分と同様の部分については同一の符号を付して説明を省略する。図８に示す例では、電子時計１００はスキップ設定修正モードになっている。スキップ設定修正モードは、上述したスキップ有りのタイムゾーン設定モードにおけるスキップ対象のタイムゾーンを修正可能なモードである。
【０１１０】
スキップ設定修正モードにおいて、例えばリューズ１３１を１段引いてリューズ１３１を正方向に５回転すると、秒針１２３による指示方向は、指示方向８０１、指示方向８０２、指示方向８０３、指示方向８０４、指示方向８０５、指示方向８０６の順に変化する。この秒針１２３の変化は、図７に示したスキップ無しのタイムゾーン設定モードにおける秒針１２３の変化と同様である。すなわち、秒針１２３は、リューズ１３１の回転に応じて各タイムゾーンをスキップせずに順次指示する。
【０１１１】
また、電子時計１００は、スキップ設定修正モードにおいてＰＢ操作（例えば第１プッシュボタン１３２及び第２プッシュボタン１３３の少なくともいずれかの押下）が行われると、そのとき秒針１２３が指示していたタイムゾーンについて、スキップ有りのタイムゾーン設定モードにおけるスキップ対象か否かを切り替える。また、電子時計１００は、スキップ設定修正モードにおいてリューズ１３１が押し込まれると、スキップ設定修正モードを終了する。
【０１１２】
また、実施の形態２にかかる小窓１６０は、スキップ設定修正モードにおいて、秒針１２３が指示しているタイムゾーンがスキップ対象に設定されているか否かを表示してもよい。例えば、小窓１６０における右半分の外周には、「ＯＮ」及び「ＯＦＦ」が表記されている。「ＯＮ」は、スキップ有りのタイムゾーン設定モードにおけるスキップ対象のタイムゾーンであることを示す。「ＯＦＦ」は、スキップ有りのタイムゾーン設定モードにおけるスキップ対象のタイムゾーンでないことを示す。
【０１１３】
ここでは、初期状態として、図６、図７に示した例のように、タイムゾーン表示部１５０ａ、１５０ｂが示す各タイムゾーンはスキップ有りのタイムゾーン設定モードにおけるスキップ対象であり、タイムゾーン表示部１５０ｃが示す各タイムゾーンはスキップ有りのタイムゾーン設定モードにおけるスキップ対象でないとする。
【０１１４】
例えば、秒針１２３が指示方向８０１、８０３、８０５、８０６を指示しているときは、小窓１６０の指針１６１は「ＯＦＦ」を指示する。また、秒針１２３が指示方向８０２、８０４を指示しているときは、小窓１６０の指針１６１は「ＯＮ」を指示する。また、秒針１２３がタイムゾーン表示部１５０ｂ（「−４．５」又は「＋１０．５」）を指示しているときは、小窓１６０の指針１６１は「ＯＦＦ」を指示する。これにより、ユーザは、リューズ１３１を１段引いてリューズ１３１を回転させるごとに、移動した秒針１２３が指示するタイムゾーンが現在、スキップ有りのタイムゾーン設定モードにおけるスキップ対象であるか否かを認識できる。
【０１１５】
また、例えば秒針１２３が指示方向８０３を指示しているときは、上述したように小窓１６０の指針１６１は「ＯＦＦ」を示す。この状態でユーザがＰＢ操作を行うと、指針１６１の指示先は「ＯＦＦ」から「ＯＮ」に切り替わり、指示方向８０３に対応するタイムゾーン（「＋８」）はスキップ有りのタイムゾーン設定モードにおけるスキップ対象になる。
【０１１６】
また、例えば秒針１２３が指示方向８０４を指示しているときは、上述したように小窓１６０の指針１６１は「ＯＮ」を示す。この状態でユーザがＰＢ操作を行うと、指針１６１の指示先は「ＯＮ」から「ＯＦＦ」に切り替わり、指示方向８０４に対応するタイムゾーン（「＋８．２５」）はスキップ有りのタイムゾーン設定モードにおけるスキップ対象ではなくなる。
【０１１７】
（実施の形態２にかかる電子時計による設定処理）
図９〜図１１は、実施の形態２にかかる電子時計による設定処理の一例を示すフローチャートである。実施の形態２にかかる電子時計１００は、例えば、時刻を表示する時刻表示モード（通常モード）においてリューズ１３１が引かれると（リューズ引き）、図９〜図１１に示す各ステップを実行する。図９〜図１１に示す各ステップは、例えば図３に示した演算部３３１により実行される。
【０１１８】
図９に示すように、まず、電子時計１００は、設定済みのタイムゾーンをＲＯＭ３３２又はＲＡＭ３３３から読み出す（ステップＳ９０１）。つぎに、電子時計１００は、ステップＳ９０１により読み出したタイムゾーンに基づいて、秒針１２３によるタイムゾーンの指示位置を移動させる（ステップＳ９０２）。例えば、電子時計１００は、ステップＳ９０１により読み出したタイムゾーンを指示するように秒針１２３によるタイムゾーンの指示位置を移動させる。
【０１１９】
つぎに、電子時計１００は、ＰＢ操作（プッシュボタン操作）が継続されているか否かを判断する（ステップＳ９０３）。ＰＢ操作は、例えば第１プッシュボタン１３２及び第２プッシュボタン１３３の少なくともいずれかを押下する操作である。ＰＢ操作が継続されていない場合（ステップＳ９０３：Ｎｏ）は、電子時計１００は、スキップ有りのタイムゾーン設定モードへ遷移する（ステップＳ９０４）。すなわち、ユーザは、ＰＢ操作を行わずにリューズ１３１を引くことにより電子時計１００をスキップ有りのタイムゾーン設定モードへ遷移させることができる。
【０１２０】
スキップ有りのタイムゾーン設定モードにおいて、電子時計１００は、ＰＢ操作が所定時間以上継続されているか否かを判断する（ステップＳ９０５）。所定時間は、任意の時間とすることができるが、一例としては４秒とすることができる。ＰＢ操作が所定時間以上継続されていない場合（ステップＳ９０５：Ｎｏ）は、電子時計１００は、リューズ１３１の正回転入力があったか否かを判断する（ステップＳ９０６）。正回転入力があった場合（ステップＳ９０６：Ｙｅｓ）は、電子時計１００は、秒針１２３が指示するタイムゾーンを＋１だけ移動させる（ステップＳ９０７）。＋１だけ移動させるとは、例えば、正順に最小単位だけ移動させることである。最小単位とは、例えば図１に示した６０個のタイムゾーン表示部１５０が示す各タイムゾーンの各間隔である。
【０１２１】
つぎに、電子時計１００は、秒針１２３が指示するタイムゾーンがスキップ対象のタイムゾーンであるか否かを判断する（ステップＳ９０８）。秒針１２３が指示するタイムゾーンがスキップ対象のタイムゾーンである場合（ステップＳ９０８：Ｙｅｓ）は、電子時計１００は、ステップＳ９０７に戻って指示するタイムゾーンをさらに移動させる。秒針１２３が指示するタイムゾーンがスキップ対象のタイムゾーンでない場合（ステップＳ９０８：Ｎｏ）は、電子時計１００はステップＳ９０５へ戻る。
【０１２２】
ステップＳ９０６において、正回転入力がなかった場合（ステップＳ９０６：Ｎｏ）は、電子時計１００は、リューズ１３１の逆回転入力があったか否かを判断する（ステップＳ９０９）。逆回転入力があった場合（ステップＳ９０９：Ｙｅｓ）は、電子時計１００は、秒針１２３が指示するタイムゾーンを−１だけ移動させる（ステップＳ９１０）。−１だけ移動させるとは、例えば、逆順に最小単位だけ移動させることである。
【０１２３】
つぎに、電子時計１００は、秒針１２３が指示するタイムゾーンがスキップ対象のタイムゾーンであるか否かを判断する（ステップＳ９１１）。秒針１２３が指示するタイムゾーンがスキップ対象のタイムゾーンである場合（ステップＳ９１１：Ｙｅｓ）は、電子時計１００は、ステップＳ９１０に戻って指示するタイムゾーンをさらに移動させる。秒針１２３が指示するタイムゾーンがスキップ対象のタイムゾーンでない場合（ステップＳ９１１：Ｎｏ）は、電子時計１００はステップＳ９０５へ戻る。
【０１２４】
ステップＳ９０９において、逆回転入力がなかった場合（ステップＳ９０９：Ｎｏ）は、電子時計１００は、リューズ１３１が押し込まれたか否かを判断する（ステップＳ９１２）。リューズ１３１が押し込まれていない場合（ステップＳ９１２：Ｎｏ）は、電子時計１００はステップＳ９０５へ戻る。
【０１２５】
ステップＳ９１２において、リューズ１３１が押し込まれた場合（ステップＳ９１２：Ｙｅｓ）は、電子時計１００は、自装置のタイムゾーンの設定を、秒針１２３が指示しているタイムゾーンとなるように更新し（ステップＳ９１３）、一連の処理を終了して時刻表示モードへ戻る。ステップＳ９１３の後、電子時計１００は、更新後のタイムゾーンに基づく時刻を表示する。
【０１２６】
ステップＳ９０５において、ＰＢ操作が所定時間以上継続されている場合（ステップＳ９０５：Ｙｅｓ）は、電子時計１００は、図１０に示すステップＳ９１４へ移行し（Ａ）、スキップ無しのタイムゾーン設定モードへ遷移する（ステップＳ９１４）。すなわち、ユーザは、電子時計１００をスキップ有りのタイムゾーン設定モードへ遷移させてから、ＰＢ操作を所定時間以上行うことで、電子時計１００をスキップ無しのタイムゾーン設定モードへ遷移させることができる。
【０１２７】
スキップ無しのタイムゾーン設定モードにおいて、電子時計１００は、リューズ１３１の正回転入力があったか否かを判断する（ステップＳ９１５）。正回転入力があった場合（ステップＳ９１５：Ｙｅｓ）は、電子時計１００は、秒針１２３が指示するタイムゾーンを＋１だけ移動させ（ステップＳ９１６）、ステップＳ９１５へ戻る。
【０１２８】
ステップＳ９１５において、正回転入力がなかった場合（ステップＳ９１５：Ｎｏ）は、電子時計１００は、リューズ１３１の逆回転入力があったか否かを判断する（ステップＳ９１７）。逆回転入力があった場合（ステップＳ９１７：Ｙｅｓ）は、電子時計１００は、秒針１２３が指示するタイムゾーンを−１だけ移動させ（ステップＳ９１８）、ステップＳ９１５へ戻る。
【０１２９】
ステップＳ９１７において、逆回転入力がなかった場合（ステップＳ９１７：Ｎｏ）は、電子時計１００は、リューズ１３１が押し込まれたか否かを判断する（ステップＳ９１９）。リューズ１３１が押し込まれていない場合（ステップＳ９１９：Ｎｏ）は、電子時計１００は、ステップＳ９１５へ戻る。リューズ１３１が押し込まれた場合（ステップＳ９１９：Ｙｅｓ）は、電子時計１００は図９に示すステップＳ９１３へ移行する（Ｂ）。
【０１３０】
図９に示すステップＳ９０３において、ＰＢ操作が継続されている場合（ステップＳ９０３：Ｙｅｓ）は、電子時計１００は、図１１に示すステップＳ９２０へ移行し（Ｃ）、スキップ設定修正モードへ遷移する（ステップＳ９２０）。すなわち、ユーザは、ＰＢ操作を行いながらリューズ１３１を引くことにより電子時計１００をスキップ設定修正モードへ遷移させることができる。
【０１３１】
スキップ設定修正モードにおいて、電子時計１００は、ステップＳ９２１へ移行する。ステップＳ９２１〜Ｓ９２４は、ステップＳ９１５〜Ｓ９１８と同様である。ステップＳ９２３において、逆回転入力がなかった場合（ステップＳ９２３：Ｎｏ）は、電子時計１００は、ＰＢ操作があったか否かを判断する（ステップＳ９２５）。
【０１３２】
ステップＳ９２５において、ＰＢ操作がなかった場合（ステップＳ９２５：Ｎｏ）は、電子時計１００は、ステップＳ９２７へ移行する。ＰＢ操作があった場合（ステップＳ９２５：Ｙｅｓ）は、電子時計１００は、そのとき秒針１２３が指示しているタイムゾーンについてのスキップ設定を変更する（ステップＳ９２６）。例えば、電子時計１００は、そのタイムゾーンがスキップ有りのタイムゾーン設定モードにおけるスキップ対象であった場合は、そのタイムゾーンをスキップ有りのタイムゾーン設定モードにおけるスキップ対象から除外する。また、電子時計１００は、そのタイムゾーンがスキップ有りのタイムゾーン設定モードにおけるスキップ対象でなかった場合は、そのタイムゾーンをスキップ有りのタイムゾーン設定モードにおけるスキップ対象に追加する。
【０１３３】
つぎに、電子時計１００は、リューズ１３１が押し込まれたか否かを判断する（ステップＳ９２７）。リューズ１３１が押し込まれていない場合（ステップＳ９２７：Ｎｏ）は、電子時計１００は、ステップＳ９２１へ戻る。リューズ１３１が押し込まれた場合（ステップＳ９２７：Ｙｅｓ）は、電子時計１００は、タイムゾーンの設定を更新せずに一連の処理を終了して時刻表示モードへ戻る（Ｄ）。
【０１３４】
（実施の形態２にかかる電子時計のモード遷移）
図１２は、実施の形態２にかかる電子時計のモード遷移の一例を示す図である。実施の形態２にかかる電子時計１００は、例えば図１２に示す各モードに遷移する。まず、電子時計１００は、定常モードとして、時刻表示モード１２０１へ遷移する。時刻表示モード１２０１において、電子時計１００は、設定済みのタイムゾーンに基づく時刻を時刻表示部３５１により表示する。
【０１３５】
時刻表示モード１２０１においてリューズが１段引かれると（リューズ１段引き）、電子時計１００はスキップ有りのタイムゾーン設定モード１２０２へ遷移する。スキップ有りのタイムゾーン設定モード１２０２においてリューズ１３１が正回転すると、電子時計１００は、秒針１２３が指示するタイムゾーンを、正順に次に選択可能なタイムゾーンに変更する（タイムゾーン正順）。また、スキップ有りのタイムゾーン設定モード１２０２においてリューズ１３１が逆回転すると、電子時計１００は、秒針１２３が指示するタイムゾーンを、逆順に次に選択可能なタイムゾーンに変更する（タイムゾーン逆順）。
【０１３６】
また、スキップ有りのタイムゾーン設定モード１２０２においてリューズ１３１が押し込まれると（リューズ０段引き）、電子時計１００は時刻表示モード１２０１へ戻る。このとき、電子時計１００は、自装置のタイムゾーンの設定を、秒針１２３が指示しているタイムゾーンとなるように更新する。また、スキップ有りのタイムゾーン設定モード１２０２においてＰＢ操作が所定時間（例えば４秒）以上継続すると、電子時計１００はスキップ無しのタイムゾーン設定モード１２０３へ遷移する。
【０１３７】
スキップ無しのタイムゾーン設定モード１２０３においてリューズ１３１が正回転すると、電子時計１００は、秒針１２３が指示するタイムゾーンを＋１だけ移動させる（タイムゾーン＋１）。また、スキップ無しのタイムゾーン設定モード１２０３においてリューズ１３１が逆回転すると、電子時計１００は、秒針１２３が指示するタイムゾーンを−１だけ移動させる（タイムゾーン−１）。また、スキップ無しのタイムゾーン設定モード１２０３においてリューズ１３１が押し込まれると（リューズ０段引き）、電子時計１００は時刻表示モード１２０１へ戻る。このとき、電子時計１００は、自装置のタイムゾーンの設定を、秒針１２３が指示しているタイムゾーンとなるように更新する。
【０１３８】
時刻表示モード１２０１においてＰＢ操作しながらリューズ１３１が１段引かれると（リューズ１段引き）、電子時計１００はスキップ設定修正モード１２０４へ遷移する。スキップ設定修正モード１２０４においてリューズ１３１が正回転すると、電子時計１００は、秒針１２３が指示するタイムゾーンを＋１だけ移動させる（タイムゾーン＋１）。また、スキップ設定修正モード１２０４においてリューズ１３１が逆回転すると、電子時計１００は、秒針１２３が指示するタイムゾーンを−１だけ移動させる（タイムゾーン−１）。
【０１３９】
また、スキップ設定修正モード１２０４においてＰＢ操作が行われると、電子時計１００は、そのとき秒針１２３が指示しているタイムゾーンのスキップのＯＮ／ＯＦＦを変更する。例えば、電子時計１００は、秒針１２３が指示しているタイムゾーンがタイムゾーン設定モード１２０２におけるスキップ対象であった場合は、そのタイムゾーンをタイムゾーン設定モード１２０２におけるスキップ対象から除外する。また、電子時計１００は、秒針１２３が指示しているタイムゾーンがタイムゾーン設定モード１２０２におけるスキップ対象でなかった場合は、そのタイムゾーンをタイムゾーン設定モード１２０２におけるスキップ対象に追加する。また、スキップ設定修正モード１２０４においてリューズ１３１が押し込まれると（リューズ０段引き）、電子時計１００は時刻表示モード１２０１へ戻る。
【０１４０】
このように、実施の形態２にかかる電子時計１００によれば、ユーザ操作に基づくタイムゾーンを設定する場合に、ユーザによる第１操作（例えばリューズ１３１を１段引いた状態で回転）に応じて選択候補の各タイムゾーンをユーザに順次通知する第１状態（スキップ無しのタイムゾーン設定モード）と、ユーザによる第２操作（例えばリューズ１３１を１段引いた状態で回転）に応じて選択候補の各タイムゾーンのうちの一部のタイムゾーンを除くタイムゾーンをユーザに順次通知する第２状態（例えばスキップ有りのタイムゾーン設定モード）と、を切り替え可能である。そして、第１状態又は第２状態においてユーザによる第３操作（リューズ１３１の押し込み）を受け付けた際に通知していたタイムゾーンを設定する。
【０１４１】
これにより、電子時計１００を第１状態にすることで、選択候補の各タイムゾーンの中からユーザがタイムゾーンを選択することができ、電子時計１００を第２状態にすることで、ユーザにより選択される可能性が低いタイムゾーンの通知がスキップされ、ユーザにより選択される可能性が高いタイムゾーンの選択を容易にすることができる。このため、ユーザ操作に基づくタイムゾーンを設定する際のユーザビリティを向上させることができる。
【０１４２】
また、第２状態で通知がスキップされるタイムゾーンは、一例としては、図６に示した例のように、選択候補の各タイムゾーンのうちの、地図データ及び電子時計１００の現在位置に基づいて設定可能なタイムゾーンに含まれないタイムゾーン（手動でのみ設定可能なタイムゾーン）とすることができる。ただし第２状態で通知がスキップされるタイムゾーンはこれに限らない。
【０１４３】
例えば、第２状態で通知がスキップされるタイムゾーンは、地図データ及び電子時計１００の現在位置に基づいて設定されるタイムゾーンであってもよい。すなわち、ユーザが手動操作によりタイムゾーンを選択する場合は、ユーザはユーザ操作によってのみ選択可能なタイムゾーンを選択したい可能性が高いため、地図データ及び電子時計１００の現在位置に基づいて設定されるタイムゾーンは選択される可能性が低いタイムゾーンといえる。
【０１４４】
又は、第２状態で通知がスキップされるタイムゾーンは、現在設定済みのタイムゾーンであってもよい。すなわち、ユーザが手動操作によりタイムゾーンを選択する場合は、ユーザは現在設定済みのタイムゾーンとは異なるタイムゾーンを選択したい可能性が高いため、現在設定済みのタイムゾーンは選択される可能性が低いタイムゾーンといえる。
【０１４５】
また、電子時計１００は、第２状態で通知がスキップされるタイムゾーンをユーザによる操作に基づいて変更可能な状態（例えばスキップ設定修正モード）へ遷移可能であってもよい。これにより、ユーザは、選択する可能性が低いタイムゾーンについては予め第２状態で通知がスキップされるタイムゾーンに設定しておくことで、第２状態でユーザに通知されるタイムゾーンを、ユーザにより選択される可能性が高いタイムゾーンとすることができ、ユーザビリティを向上させることができる。
【０１４６】
また、電子時計１００は、ユーザ操作により選択可能なタイムゾーンのそれぞれについて、地図データ及び電子時計１００の現在位置に基づいて設定可能であるか否か（例えば「Ｍ／Ａ」又は「Ｍ」）をユーザに通知してもよい。これにより、ユーザは、各タイムゾーンについて、ユーザ操作及び自動の両方で設定可能なタイムゾーンであるか、ユーザ操作によってのみ設定可能なタイムゾーンであるかを認識することができる。
【０１４７】
なお、スキップ有りのタイムゾーン設定モード及びスキップ無しのタイムゾーン設定モードにおいて、小窓１６０によって各タイムゾーンの種別を表示する構成について説明したが、このような構成に限らない。例えば、タイムゾーンの設定は行わずに、各タイムゾーンの種別を表示するためのモードを設けてもよい。
【０１４８】
また、スキップ有りのタイムゾーン設定モードと、スキップ無しのタイムゾーン設定モードと、をリューズ１３１及びＰＢ操作の組み合わせによって切り替える構成について説明したが、このような構成に限らない。例えば、リューズ１３１を１段引き出した状態において、リューズ１３１を正回転（第１操作）させるとスキップ無しで秒針１２３が指示するタイムゾーンを切り替え、リューズ１３１を逆回転（第２操作）させるとスキップ有りで秒針１２３が指示するタイムゾーンを切り替えてもよい。
【０１４９】
また、電子時計１００は、スキップ有りのタイムゾーン設定モード、スキップ無しのタイムゾーン設定モード及びスキップ設定修正モードと異なるスキップ設定確認モードに遷移可能であってもよい。スキップ設定確認モードにおいて、電子時計１００は、ユーザ操作に応じて秒針１２３をスキップ無しで移動させつつ、秒針１２３が示すタイムゾーンが、自動でも手動でも選択可能である（「Ｍ／Ａ」）か、手動でのみ選択可能である（「Ｍ」）か、又は選択できない「Ｎｏｎ」かを指針１６１により通知してもよい。
【０１５０】
また、上述したスキップ設定は、電子時計１００がスマートフォンやＰＣ（Ｐｅｒｓｏｎａｌ  Ｃｏｍｐｕｔｅｒ）などの外部機器と通信をすることによって、その外部機器のアプリケーションやソフトウェア上で行うようにしてもよい。
【０１５１】
また、電子時計１００による過去の測位情報をログとしてＲＯＭ３３２等に記憶しておき、ログがあるタイムゾーン（行ったことのある都市）のみ（又はログがあるタイムゾーンと手動設定のみのタイムゾーン）を選択できるようにし、その他のタイムゾーンはスキップするように設定してもよい。この場合に、測位情報のログデータは外部機器などに出力してもよい。さらにこの場合は測位情報のログに基づくスキップ設定をその外部機器のアプリケーションやソフトウェア上で行うようにしてもよい。これにより、電子時計１００のＲＯＭ３３２等の記憶領域を節約するとともに、電圧低下等による電子時計１００のデータの消失があっても測位情報のログの消失を回避することができる。
【０１５２】
（実施の形態３）
実施の形態３について、実施の形態１、２と異なる部分について説明する。
【０１５３】
（実施の形態３にかかる電子時計）
図１３は、実施の形態３にかかる電子時計の一例を示す図である。図１３において、図２に示した部分と同様の部分については同一の符号を付して説明を省略する。図１３に示すように、図２に示したタイムゾーン表示部１５０ａ、１５０ｂ、１５０ｃのうちタイムゾーン表示部１５０ｃを省いてもよい。
【０１５４】
例えば、図１３に示すタイムゾーン表示部１５０ｂが示す「−４．５」及び「＋１０．５」は、電子時計１００の設計時には採用する地域が存在していたが、現在は採用する地域が存在せず、現在の地図データにおいてはいずれの位置にも対応付けられていないとする。
【０１５５】
この場合に、例えば、タイムゾーン表示部１５０ａが示す各タイムゾーンは自動及び手動で可能設定とし、タイムゾーン表示部１５０ｂが示す各タイムゾーンが手動でのみ設定可能としてもよい。これにより、「−４．５」又は「＋１０．５」に基づく時刻を電子時計１００に表示させたいユーザは、手動により「−４．５」又は「＋１０．５」を設定することが可能になる。
【０１５６】
また、例えば、電子時計１００の設計時には「＋８．５」を採用する地域が存在せず、図１３に示す電子時計１００には「＋８．５」を示すタイムゾーン表示部１５０ｄ（点線）は存在しないとする。そして、現在は「＋８．５」を採用する地域が存在し、現在の地図データにおいてはその地域と「＋８．５」が対応付けられているとする。この場合に、例えば図５に示した処理において、ステップＳ５０３によって「＋８．５」が特定される。また、ステップＳ５０５によって「＋８．５」が指針により指示可能でないと判断される。また、ステップＳ５０６によって「＋８．５」が「＋８」又は「＋９」に丸められる。また、ステップＳ５０７によって「＋８」又は「＋９」が設定される。
【０１５７】
このように、実施の形態３にかかる電子時計１００においても、ユーザ操作により選択可能なタイムゾーン（タイムゾーン表示部１５０ａ、１５０ｂが示す各タイムゾーン）の数が、位置とタイムゾーンとの対応情報及び自装置の位置に基づいて設定可能なタイムゾーン（タイムゾーン表示部１５０ａが示す各タイムゾーン）の数より多い。これにより、ユーザは、電子時計１００の位置に基づいて自動で設定されないタイムゾーン（タイムゾーン表示部１５０ｂが示す各タイムゾーン）についても手動で設定することが可能になり、柔軟なタイムゾーンの設定が可能になる。
【０１５８】
（実施の形態４）
実施の形態４について、実施の形態１〜３と異なる部分について説明する。
【０１５９】
（実施の形態４にかかる電子時計）
図１４は、実施の形態４にかかる電子時計の一例の一部を示す図である。図１４において、図１と同様の構成については同一の符号を付して説明を省略する。図１４に示すように、実施の形態４にかかる電子時計１００のタイムゾーン表示部１５０の外周には、「＋１」、「＋２」、「＋３」などの時差情報に代えて、又は時差情報とともに、そのタイムゾーンに対応する都市名が表記されていてもよい。図１４に示す例では、タイムゾーン表示部１５０の外周に、時差情報とともに、ＢＪＳ（北京）、ＴＹＯ（東京）、ＡＤＬ（アデレード）、ＳＹＤ（シドニー）などの都市名が表記されている。これにより、ユーザはタイムゾーンの設定や確認を都市名により行うことができる。
【０１６０】
また、図１４に示す例のように、同じタイムゾーンであるが異なる都市名を選べるようにしてもよい。例えば、時差「＋１０」のタイムゾーンにはシドニー（ＳＹＤ）だけでなくグアム（ＧＵＭ）やウラジオストク（ＶＬＤ）も含まれる。このため、受信によって自動的に選択されるのは代表的な都市名（例えばシドニー）のタイムゾーンとし、手動設定では同じタイムゾーンであるグアムやウラジオストク等を選択することができるようにしてもよい。これにより、同じタイムゾーンであっても観測点により近い都市名を選択できるためユーザビリティが向上する。
【０１６１】
また、この場合に、図１４に示す例のように、同じタイムゾーンの都市名は、隣接して配置し、同じタイムゾーンであることがわかる指標１４０１〜１４０４を設けてもよい。例えば、指標１４０３は、シドニー（ＳＹＤ）、グアム（ＧＵＭ）及びウラジオストク（ＶＬＤ）が同じ時差「＋１０」のタイムゾーンであることを示している。
【０１６２】
また、このように同じタイムゾーンの中でも観測点（ユーザ）により近い都市を選択できることにより、その都市までの距離を指針１６１等で示してもよい。さらに、電子時計１００に方位センサを搭載する場合はその都市の方角を指針１６１等で示してもよい。
【０１６３】
図１４に示す例では都市名が電子時計１００のベゼルに表記されているが、このような構成に限らない。例えば、都市名は電子時計１００の見返しリングに表記されていてもよい。
【０１６４】
このように、実施の形態４にかかる電子時計１００によれば、タイムゾーンに対応する都市名をベゼル等に表記することにより、ユーザビリティを向上させることができる。
【０１６５】
（実施の形態５）
実施の形態５について、実施の形態１〜４と異なる部分について説明する。
【０１６６】
（実施の形態５にかかる電子時計）
図１５及び図１６は、実施の形態５にかかる電子時計の一例の一部を示す図である。図１５、図１６において、図２と同様の構成については同一の符号を付して説明を省略する。図１５、図１６に示すように、都市名等を表示する電子時計１００のベゼルや見返しリングに、液晶や電子ペーパーなどの表示内容を書き換え可能な表示装置１５１０を用いてもよい。電子ペーパーには、一例としてはＥ−ｉｎｋの電子ペーパーを用いることができる。Ｅ−ｉｎｋは登録商標である。
【０１６７】
例えば、表示装置１５１０は、ユーザによる設定等に応じて、タイムゾーンの時差とともに表示する都市名を書き換える。一例としては、図１５に示す例のように、時差「＋１０」のタイムゾーンに対応してシドニー（ＳＹＤ）が表示されているが、ユーザによる設定に応じて、図１６に示す例のように時差「＋１０」のタイムゾーンに対応してグアム（ＧＵＭ）が表示されるようにしてもよい。
【０１６８】
また、表示装置１５１０による表示内容の書き換えは、図１４に示したように同じタイムゾーンに対応して複数の都市名を表示する場合にも適用可能である。また、図１５、図１６に示す例のようにタイムゾーンごとに１個の都市名を表示するか、又は図１４に示したようにタイムゾーンごとに複数の都市名を表示し得るかを、ユーザ設定に応じて切替可能であってもよい。
【０１６９】
図１７及び図１８は、実施の形態５にかかる電子時計の他の一例の一部を示す図である。図１７、図１８において、図１５、図１６と同様の構成については同一の符号を付して説明を省略する。実施の形態５にかかる電子時計１００は、表示装置１５１０に各タイムゾーンの時差を表示し、ＲＯＭ３３２の地図データに応じて、各タイムゾーンの時差の表示間隔を切り替えてもよい。一例としては、電子時計１００は、表示装置１５１０の表示内容を、図１７に示す表示内容から図１８に示す表示内容に切り替えてもよい。
【０１７０】
このように、実施の形態５にかかる電子時計１００によれば、書き換え可能な表示装置１５１０を有することで、自動と手動で選べる都市を柔軟に選択可能になる。
【０１７１】
なお、上述した各実施の形態において、衛星電波に基づいて電子時計１００の現在位置を特定する構成について説明したが、このような構成に限らない。例えば、電子時計１００は、無線ＬＡＮやセルラ通信の基地局からの無線信号に基づいて電子時計１００の現在位置を特定してもよい。
【０１７２】
また、衛星電波に基づいて現在時刻（標準時）を特定する構成について説明したが、このような構成に限らない。例えば、電子時計１００は、地上の送信局から送信される標準電波に基づいて現在時刻（標準時）を特定してもよい。又は、電子時計１００は、他の通信装置（各種基地局や無線端末）から受信した時刻情報に基づいて現在時刻（標準時）を特定してもよい。
【０１７３】
また、電子時計１００が腕時計である構成について説明したが、このような構成に限らない。例えば、電子時計１００は、懐中時計、置き時計、掛け時計などの時計であってもよい。また、電子時計１００が指針により時刻を表示するアナログ時計である構成について説明したが、このような構成に限らない。例えば、電子時計１００は、ディスプレイにより時間を表示するデジタル時計、又は音声によって時間を通知する音声時計などであってもよい。
【０１７４】
以上説明したように、電子時計によれば、タイムゾーンの柔軟な設定を可能にすることができる。
【０１７５】
例えば、従来、リューズやプッシュボタンなどを操作してタイムゾーン（時差や都市名）を指定することによって、現在指定している時刻を、設定したタイムゾーンに対応する時刻に修正する時計が知られている。タイムゾーンは、共通の標準時を使う地域全体であり、例えば標準時間帯、時間帯又は等時帯と呼ばれる場合もある。また、タイムゾーンは、例えばその地域の標準時とＵＴＣ（Ｃｏｏｒｄｉｎａｔｅｄ  Ｕｎｉｖｅｒｓａｌ  Ｔｉｍｅ：協定世界時）との差で示される。一例として、日本は、標準時とＵＴＣとの差が＋９であるタイムゾーンに含まれる。このため、日本が含まれるタイムゾーンは、例えば「ＵＴＣ＋９」や「＋９」などと表される。
【０１７６】
また、ＧＰＳなどの衛星電波を取得可能な時計においては、複数の衛星（通常４機）の信号を受信することによって現在地を測定（測位）することができる。このため、タイムゾーンの情報を地図データにおいて対応付けて保持しておくことにより、測位情報と地図データとから現在地のタイムゾーンを割り出すことができる。
【０１７７】
各国がどのタイムゾーンに含まれるかは、各国の政治的、経済的理由などによって変更されることがある。各国と各タイムゾーンとの対応関係に変更が生じ、時計のタイムゾーンを含む地図データを更新した場合に、所定のタイムゾーンを使用しなくなったり、元々なかったタイムゾーンが新たに加えられたりすることが想定される。
【０１７８】
例えば、過去に発売したモデルの時計の地図データを、現在の地図データにアップデートすることが考えられる。例えば、地図データのアップデートにより使用しなくなったタイムゾーンがあった場合に、ユーザによってはそのタイムゾーンを使用したい場合がある。これに対して、上述した各実施の形態によれば、地図データをアップデートした後において、手動操作で指定できるタイムゾーンの数が、自動受信で指定できるタイムゾーンの数よりも多い。このため、地図データから削除されたタイムゾーンなど、自動受信で指定できないタイムゾーンについても手動操作で指定することができるため、ユーザビリティを向上させることができる。
【産業上の利用可能性】
【０１７９】
以上のように、本発明にかかる電子時計は、タイムゾーンに基づく時刻を通知する各種の電子時計に有用であり、特に、衛星電波腕時計に適している。
【符号の説明】
【０１８０】
１００  電子時計
１１０  文字板
１２１  時針
１２２  分針
１２３  秒針
１３０、３６０  操作部
１３１  リューズ
１３２  第１プッシュボタン
１３３  第２プッシュボタン
１４１  受信成功文字
１４２  受信失敗文字
１４３  測位文字
１４４  測時文字
１５０、１５０ａ、１５０ｂ、１５０ｃ、１５０ｄ  タイムゾーン表示部
１６０  小窓
１６１  指針
３１０  アンテナ
３２０  受信回路
３２１  高周波回路
３２２  デコード回路
３３０  制御回路
３３１  演算部
３３２  ＲＯＭ
３３３  ＲＡＭ
３３４  ＲＴＣ
３３５  モータ駆動回路
３４０  二次電池
３４２  スイッチ
３４３  太陽電池
３５０  駆動機構
３５１  時刻表示部
３６１  データ更新モジュール
４００  地図データ
６０１〜６０６、７０１〜７０６、８０１〜８０６  指示方向
１２０１  時刻表示モード
１２０２、１２０３  タイムゾーン設定モード
１２０４  スキップ設定修正モード
１４０１〜１４０４  指標
１５１０  表示装置
【図１】
2019045253.tif 000003
【図２】
2019045253.tif 000004
【図３】
2019045253.tif 000005
【図４】
2019045253.tif 000006
【図５】
2019045253.tif 000007
【図６】
2019045253.tif 000008
【図７】
2019045253.tif 000009
【図８】
2019045253.tif 000010
【図９】
2019045253.tif 000011
【図１０】
2019045253.tif 000012
【図１１】
2019045253.tif 000013
【図１２】
2019045253.tif 000014
【図１３】
2019045253.tif 000015
【図１４】
2019045253.tif 000016
【図１５】
2019045253.tif 000017
【図１６】
2019045253.tif 000018
【図１７】
2019045253.tif 000019
【図１８】
2019045253.tif 000020